(57)【要約】【課題】ファクシミリ通信機能などにより取り扱った後にストレージサーバＰＣに保管される画像データを、履歴情報に基づいて簡便に取得することが可能なインターネットファクシミリ装置を提供する。【解決手段】ファクシミリ通信機能などによって画像データを取り扱った際に、当該取り扱いに関する情報と、ストレージサーバＰＣ３における当該画像データのファイルを保管しているフォルダの場所及び当該ファイルを特定するパス（path）とを含む履歴情報を生成してインターネットファクシミリ装置１に記憶し、当該履歴情報を、インターネットファクシミリ装置１及びクライアントＰＣ２によって参照可能とする。【選択図】図５
2008017147.tif 000002
【特許請求の範囲】
【請求項１】
自装置で取り扱った画像データをネットワークによって自装置と接続された外部装置に保管する画像形成装置であって、
前記外部装置における前記画像データの保管場所を示す保管場所特定情報と当該画像データの前記取り扱いに関する情報とを含む履歴情報を生成する履歴情報生成手段とを備えることを特徴とする画像形成装置。
【請求項２】
前記履歴情報を表示する表示手段と、
前記表示手段によって表示された履歴情報に基づく前記保管場所特定情報の選択を受け付ける受付手段と、
前記受付手段によって受け付けられた保管場所特定情報によって特定される画像データの出力を行う出力手段とを備えることを特徴とする請求項１に記載の画像形成装置。
【請求項３】
前記出力手段は、前記画像データに基づく画像の印刷を行うことを特徴とする請求項２に記載の画像形成装置。
【請求項４】
前記出力手段は、前記画像データに基づく画像の表示を行うことを特徴とする請求項２又は３に記載の画像形成装置。
【請求項５】
前記表示手段は、所定のパスワードが入力された場合に前記履歴情報の表示を行うことを特徴とする請求項２乃至４のいずれかに記載の画像形成装置。
【請求項６】
前記表示手段は、検索条件の入力を受け付け、当該検索条件に該当する履歴情報を表示することを特徴とする請求項２乃至５のいずれかに記載の画像形成装置。
【請求項７】
前記履歴情報を前記ネットワークに接続されたクライアント装置によって参照可能に当該ネットワークに公開する公開手段を備えることを特徴とする請求項１乃至６のいずれかに記載の画像形成装置。
【請求項８】
前記公開手段は、前記クライアント装置によって前記保管場所特定情報が選択されたときに、当該保管場所特定情報によって特定される画像データが当該クライアント装置により取得されるように前記履歴情報に基づいて構成された構成データを公開することを特徴とする請求項７に記載の画像形成装置。
【請求項９】
前記公開手段は、前記クライアント装置によって前記保管場所特定情報が選択されたときに、当該保管場所特定情報によって特定される画像データが保管されている保管場所の保管内容を当該クライアント装置に表示するように前記履歴情報に基づいて構成された構成データを公開することを特徴とする請求項７又は８に記載の画像形成装置。
【請求項１０】
前記構成データは、ＨＴＭＬ（HyperText Markup Language）で記述されたファイルであることを特徴とする請求項８又は９に記載の画像形成装置。
【請求項１１】
前記公開手段は、所定のパスワードを送信する前記クライアント装置によってのみ参照可能となるように前記履歴情報をネットワークに公開することを特徴とする請求項７乃至１０のいずれかに記載の画像形成装置。
【請求項１２】
前記公開手段は、検索条件の入力を受け付け、当該検索条件に該当する履歴情報を公開することを特徴とする請求項７乃至１１のいずれかに記載の画像形成装置。
【発明の詳細な説明】
【技術分野】
【０００１】
本発明は、画像形成装置に関し、詳しくは、自装置で取り扱った画像データをネットワークによって自装置と接続された外部装置に保管する画像形成装置に関するものである。
【背景技術】
【０００２】
ファクシミリ通信及びインターネットファクシミリ通信によって画像を送受信し、送受信した日時などの履歴情報を生成して自装置に記録するとともに、送受信した画像データを電子メールに添付して外部装置に送信して保管（アーカイブ）させるインターネットファクシミリ装置が発明されている（例えば、特許文献１を参照。）。このようなインターネットファクシミリ装置では、送受信した画像データに基づいてファイルを形成し、送受信を行った日時を当該ファイルの名前とする。そして、このファイルを外部装置の記憶装置の定められたフォルダに保管する。
【特許文献１】特開２００２−３４４６８８号公報
【発明の開示】
【発明が解決しようとする課題】
【０００３】
上述したようなインターネットファクシミリ装置では、外部装置に保管している画像データ（ファイル）が必要になった場合には、まず、インターネットファクシミリ装置に存在する履歴情報に基づいて必要なファイルの日時を特定する。そして、外部装置の画像データ（ファイル）の保管先のフォルダを開き、そのフォルダの中に存在するサブフォルダを順次開いて、履歴情報から特定した日時に基づいて目的のファイルを特定する。このような方法によって目的の画像データを得ていたため、外部装置に保管している画像データ（ファイル）の数が膨大である場合には、インターネットファクシミリ装置に存在する履歴から目的の画像データを取得するために非常に手間と時間がかかるという問題があった。
【０００４】
本発明は、かかる課題に鑑みてなされたものであり、履歴情報に基づいて目的の画像データを簡便に外部装置から取得することが可能な画像形成装置を提供することを目的とする。
【課題を解決するための手段】
【０００５】
上記目的を達成するために、請求項１に記載の画像形成装置は、自装置で取り扱った画像データをネットワークによって自装置と接続された外部装置に保管する画像形成装置であって、前記外部装置における前記画像データの保管場所を示す保管場所特定情報と画像データの前記取り扱いに関する情報とを含む履歴情報を生成する履歴情報生成手段とを備えることを特徴としている。
【０００６】
この構成によれば、自装置で取り扱った画像データをネットワークによって自装置と接続された外部装置に保管する画像形成装置であり、履歴情報生成手段により、外部装置における画像データの保管場所を示す保管場所特定情報と画像データの取り扱いに関する情報とを含む履歴情報が生成される。
【０００７】
このように、履歴情報には、外部装置における画像データの保管場所（例えば、フォルダ、又は、ディレクトリ）を示す保管場所特定情報（例えば、パス（path））と画像データの取り扱いに関する情報が含まれるので、複数存在する履歴情報の中から目的の画像データについての履歴情報を特定すれば、特定した履歴情報に含まれる保管場所特定情報に基づいて直ちに画像データの保管場所を知ることができ、簡便に画像データを外部記憶装置から取得することができる。
【０００８】
請求項２に記載の画像形成装置は、請求項１に記載の画像形成装置において、前記履歴情報を表示する表示手段と、前記表示手段によって表示された履歴情報に基づく前記保管場所特定情報の選択を受け付ける受付手段と、前記受付手段によって受け付けられた保管場所特定情報によって特定される画像データの出力を行う出力手段とを備えることを特徴としている。
【０００９】
この構成によれば、表示手段により履歴情報が表示され、受付手段により、表示手段によって表示された履歴情報に基づく保管場所特定情報の選択が受け付けられ、出力手段により、受付手段によって受け付けられた保管場所特定情報により特定される画像データが出力される。したがって、保管場所特定情報によって特定した画像データの出力を得ることができる。
【００１０】
請求項３に記載の画像形成装置は、請求項２に記載の画像形成装置において、前記出力手段は、前記画像データに基づく画像の印刷を行うことを特徴としている。このように、印刷データに基づく画像を印刷するので、目的の画像の印刷物を得ることができる。
【００１１】
請求項４に記載の画像形成装置は、請求項２又は３に記載の画像形成装置において、前記出力手段は、前記画像データに基づく画像の表示を行うことを特徴としている。この構成によれば、画像データに基づく画像を表示するので、画像の印刷を行う前などに画像が目的の画像であるか否かを確認することができる。
【００１２】
請求項５に記載の画像形成装置は、請求項２乃至４のいずれかに記載の画像形成装置において、前記表示手段は、所定のパスワードが入力された場合に前記履歴情報の表示を行うことを特徴としている。この構成によれば、所定のパスワードが入力された場合にのみ履歴情報を表示するので、履歴情報の、引いては、画像データの機密性を保護することができる。
【００１３】
請求項６に記載の画像形成装置は、請求項２乃至５のいずれかに記載の画像形成装置において、前記表示手段は、検索条件の入力を受け付け、当該検索条件に該当する履歴情報を表示することを特徴としている。この構成によれば、履歴情報の検索が可能となるので、履歴情報の数が膨大であっても履歴情報を絞り込んで迅速に保管場所特定情報を選択することができる。
【００１４】
請求項７に記載の画像形成装置は、請求項１乃至６のいずれかに記載の画像形成装置において、前記履歴情報を前記ネットワークに接続されたクライアント装置によって参照可能に当該ネットワークに公開する公開手段を備えることを特徴としている。この構成によれば、履歴情報をネットワークに公開するので、当該ネットワークに接続されているクライアント装置を用いて履歴情報を参照することができる。
【００１５】
請求項８に記載の画像形成装置は、請求項７に記載の画像形成装置において、前記公開手段は、前記クライアント装置によって前記保管場所特定情報が選択されたときに、当該保管場所特定情報によって特定される画像データが当該クライアント装置により取得されるように前記履歴情報に基づいて構成された構成データを公開することを特徴としている。
【００１６】
この構成によれば、履歴情報に基づいて構成された構成データがネットワークに公開され、クライアント装置によってこの構成データに基づいて保管場所特定情報が選択されると、当該保管場所特定情報によって特定される画像データが当該クライアント装置によって取得される。したがって、クライアント装置のユーザは、保管場所特定情報を選択することのみによって、簡便に、画像データを得ることができる。
【００１７】
請求項９に記載の画像形成装置は、請求項７又は８に記載の画像形成装置において、前記公開手段は、前記クライアント装置によって前記保管場所特定情報が選択されたときに、当該保管場所特定情報によって特定される画像データが保管されている保管場所の保管内容を当該クライアント装置に表示するように前記履歴情報に基づいて構成された構成データを公開することを特徴としている。
【００１８】
この構成によれば、履歴情報に基づいて構成された構成データがネットワークに公開され、クライアント装置によってこの構成データに基づいて保管場所特定情報が選択されると、当該保管場所特定情報によって特定される画像データが保管されている保管場所の保管内容が当該クライアント装置に表示される。したがって、クライアント装置のユーザは、当該保管場所にどのような画像データが保管されているかを確認し、それらの画像データとの関係から保管場所特定情報によって特定される画像データが所望の画像データであるか否かを判断することができる。
【００１９】
請求項１０に記載の画像形成装置は、請求項８又は９に記載の画像形成装置において、前記構成データは、ＨＴＭＬ（HyperText Markup Language）で記述されたファイルであることを特徴としている。この構成によれば、構成データはＨＴＭＬで記述されたファイルであるので、広く普及した既存の技術を用いて簡便に請求項８又は９に記載の画像形成装置を実現することができる。
【００２０】
請求項１１に記載の画像形成装置は、請求項７乃至１０のいずれかに記載の画像形成装置において、前記公開手段は、所定のパスワードを送信する前記クライアント装置によってのみ参照可能となるように前記履歴情報をネットワークに公開することを特徴としている。この構成によれば、所定のパスワードを送信するクライアント装置によってのみ履歴情報が参照可能となるので、履歴情報の、引いては、画像データの機密性を保護することができる。
【００２１】
請求項１２に記載の画像形成装置は、請求項７乃至１１のいずれかに記載の画像形成装置において、前記公開手段は、検索条件の入力を受け付け、当該検索条件に該当する履歴情報を公開することを特徴としている。この構成によれば、履歴情報の検索が可能となるので、履歴情報の数が膨大であっても履歴情報を絞り込んで迅速に保管場所特定情報を選択することができる。
【発明を実施するための最良の形態】
【００２２】
以下、本発明に係る画像形成装置の一例としてのインターネットファクシミリ装置１、クライアントＰＣ（Personal Computer）２、ストレージサーバＰＣ３について説明する。図１に示すように、インターネットファクシミリ装置１は、クライアントＰＣ２、ストレージサーバＰＣ３などとともに、ＬＡＮ（Local Area Network）４に接続される。ＬＡＮ４は、例えば、ＴＣＰ／ＩＰネットワークを構成する。ＬＡＮ４には、ルータ５が接続され、ルータ５を介してＬＡＮ４はインターネット６に接続される。インターネット６には、インターネットファクシミリ装置７などが接続される。また、インターネットファクシミリ装置１は、ＰＳＴＮ（Public Switched Telephone Networks：公衆交換電話網）８に接続され、ＰＳＴＮ８にはＧ３ファクシミリ装置９などが接続される。
【００２３】
このようなインターネットファクシミリ装置１は、ファクシミリ通信機能、インターネットファクシミリ通信機能、複写（コピー）機能、スキャン機能、印刷（プリント）機能などを備えており、これらの機能で取り扱った画像データをストレージサーバＰＣ（外部装置）３に保管するとともに、画像データを取り扱った際の機能の種別、通信や操作の日時などの取り扱いに関する情報と、ストレージサーバＰＣ３における画像データの保管場所を示す情報（保管場所特定情報）とを含む履歴情報を生成する。そして、インターネットファクシミリ装置１、クライアントＰＣ２などでは、履歴情報を参照し、履歴情報に含まれる画像データの保管場所を示す情報に基づいて画像データを取得するなどができる。
【００２４】
図２は、インターネットファクシミリ装置１の構成例を示したブロック図である。このインターネットファクシミリ装置１は、図２に示すように、ＣＰＵ（Central Processing Unit）１０１、ＲＯＭ（Read Only Memory）１０２、ＲＡＭ（Random Access Memory）１０３、操作部１０４、報知部１０５、原稿読取部１０６、画像処理部１０７、コーデック（ＣＯＤＥＣ：Coder and Decoder）１０８、画像メモリ１０９、プリンタ１１０、ＦＡＸ通信部１１１、及び、ＬＡＮ−Ｉ／Ｆ（Local Area Network Interface）１１２を備えており、各部１０１乃至１１２は、バス（bus）１１３によって通信可能に接続されている。
【００２５】
ＣＰＵ１０１は、ＲＯＭ１０２に格納されている制御プログラムに従って、インターネットファクシミリ装置１の各部の動作を制御する。ＲＯＭ１０２は、ＣＰＵ１０１によりこのインターネットファクシミリ装置１の各部の動作を制御するための前記制御プログラム等を格納する。ＲＡＭ１０３は、インターネットファクシミリ装置１の動作に用いる設定情報等の各種データ等を、読み出し及び書き込みが可能な状態で記憶するものであり、ＣＰＵ１０１のワークエリアとしても機能する。上述の履歴情報もＲＡＭ１０３に記憶される。
【００２６】
操作部１０４は、図示しないが、原稿の読み取り動作の開始を指示するためのスタートキー、ファクシミリ番号、コピー部数などを入力するためのテンキー、操作対象を指定するためのカーソルキーなどを備えている。報知部１０５は、各種の設定状態や自装置１の動作状態などを文字や図形などで表示するタッチパネル式の液晶表示装置（ＬＣＤ：Liquid Crystal Display）（オペレーションパネル）や、点灯又は消灯で表示するＬＥＤ（Light Emitting Diode）ランプ、所定の警告音を鳴動するスピーカなどを備えている。操作部１０４が備える各キーの操作や報知部１０５が備える液晶表示装置のパネルへのタッチに応じて液晶表示装置の表示が変化し、この液晶表示装置の表示に対応した操作部１０４の各キーへの操作や液晶表示装置のパネルへのタッチにより各種の入力を行うことができる。
【００２７】
原稿読取部１０６は、原稿の画像を読み取って画像データを生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００２８】
画像処理部１０７は、原稿読取部１０６から出力された画像データに対して、色調整、色空間変換、２値化等の処理を行うものである。コーデック１０８は、画像処理部１０７等によって処理された画像データを符号化（エンコード）し、また、符号化された画像データを復号（デコード）するものである。コーデック１０８に入力された画像データは、ＪＰＥＧ、ＭＨ、ＭＲ、ＭＭＲ、ＪＢＩＧ方式等に基づいて符号化され、画像メモリ１０９に記憶される。
【００２９】
プリンタ１１０は、画像メモリ１０９から読み出され、コーデック１０８によって復号された画像データを印刷出力するものである。
【００３０】
ＦＡＸ通信部１１１は、原稿の画像データをファクシミリ通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置であり、ＰＳＴＮ８に接続される。ＰＳＴＮ８には、インターネットファクシミリ装置１の他にＧ３ファクシミリ装置９などが通信可能に接続され、インターネットファクシミリ装置１は、Ｇ３ファクシミリ装置９などとの間で画像データをファクシミリ通信により送受信することが可能である。
【００３１】
ＬＡＮ−Ｉ／Ｆ１１２は、インターネットファクシミリ装置１をＬＡＮ４に接続可能にするものである。ＬＡＮ４には、上述したようにクライアントＰＣ２やストレージサーバＰＣ３などが接続され、インターネットファクシミリ装置１はクライアントＰＣ２やストレージサーバ３などとの間でデータの通信が可能である。インターネットファクシミリ装置１は、ＳＭＢ（Server Message Block）プロトコルによって、ＬＡＮ４を介してクライアントＰＣ２やストレージサーバＰＣ３の記憶装置の中に保管されているデータなどにアクセスすることが可能である。また、上述したようにＬＡＮ４は、ルータ５を介してインターネット６に接続されている。したがって、インターネットファクシミリ装置１は、インターネット６を介して他のインターネットファクシミリ装置７との間でインターネットファクシミリ通信を行うことも可能である。ここで、インターネットファクシミリ通信とは、例えば、ＴＩＦＦ（Tagged Image File Format）−Ｓ形式のファイル（画像データ）を添付した電子メールをＳＭＴＰ（Simple Mail Transfer Protocol）で送受信する通信である。なお、このインターネットファクシミリ通信は、ＳＭＴＰサーバを介して電子メールを送受信する通信方法であってもよく、ＳＭＴＰサーバを介さずに直接的に相手のインターネットファクシミリ装置７などと接続して電子メールを送受信する通信方法であってもよい。なお、インターネットファクシミリ装置１は、インターネットファクシミリ通信機能とは別個に、電子メール通信機能を備えており通常の電子メールを送信することも可能である。
【００３２】
図３は、クライアントＰＣ２の構成例を示すブロック図である。図３に示すように、クライアントＰＣ２は、ＣＰＵ２０１、ＲＯＭ２０２、ＲＡＭ２０３、ＨＤＤ(Hard Disk Drive)２０４、操作部２０５、表示部２０６、及び、ＬＡＮ−Ｉ／Ｆ２０７を備えており、各部２０１乃至２０７は、バス２０８によって通信可能に接続されている。
【００３３】
ＣＰＵ２０１は、ＨＤＤ２０４から読み出されてＲＡＭ２０３に格納された制御プログラムに従って、クライアントＰＣ２の各部の動作を制御する。ＲＯＭ２０２は、クライアントＰＣ２の動作に必要な各種の設定データなどを格納する。ＲＡＭ２０３は、ＣＰＵ２０１のワークエリアなどとして機能するものであり、実行するプログラムの一部又は全部がＨＤＤ２０４から読み出されて格納される。ＨＤＤ２０４は、ＣＰＵ２０１によりこのクライアントＰＣ２の各部の動作を制御するための前記制御プログラムや、ユーザの利用に供されるアプリケーションソフトウェア、プリンタドライバ、ブラウザなどの種々のプログラムやデータを記憶する。
【００３４】
操作部２０５は、ユーザが情報を入力するマウス、キーボードなどから構成され、ユーザによる各種の入力操作は、この操作部２０５を介して行われる。表示部２０６は、例えば液晶表示装置（ＬＣＤ）などからなり、各種の画面情報を表示するものである。ＬＡＮ−Ｉ／Ｆ２０７は、クライアントＰＣ２とＬＡＮ４とを、引いては、クライアントＰＣ２とインターネットファクシミリ装置１やストレージサーバＰＣ３を通信可能に接続するものである。
【００３５】
このようなクライアントＰＣ２は、例えば、ＨＤＤ２０４に記憶されているMicrosoft社のWindows（登録商標）というＯＳ（Operating System）によって、操作環境などが提供される。
【００３６】
なお、ストレージサーバＰＣ３は、インターネットファクシミリ装置１において取り扱われた画像データのファイルを保管するものであり、図３に示したクライアントＰＣ２の構成と同様の構成によって実現される。そして、ストレージサーバＰＣ３もまた、ＬＡＮ４を介して、インターネットファクシミリ装置１やクライアントＰＣ２との間で通信が可能である。
【００３７】
このようなインターネットファクシミリ装置１、クライアントＰＣ２、ストレージサーバＰＣ３などを備えるネットワークシステムにおいては、インターネットファクシミリ装置１において、ファクシミリ通信機能、インターネットファクシミリ通信機能、複写機能、スキャン機能、印刷機能などが行われると、これらの機能で取り扱った画像データのファイルがストレージサーバＰＣ３の記憶装置（ＨＤＤ）におけるデータの保管場所に保管される。この“保管場所”とは、記憶装置の記憶領域におけるデータ管理の観念上定められたデータの保管場所であり、Windows（登録商標）によるシステムであれば“フォルダ”と呼ばれ、UNIX（登録商標）によるシステムであれば“ディレクトリ”と呼ばれる概念に相当する。以下においては、この“保管場所”を“フォルダ”と呼ぶ。なお、保管場所特定情報は、画像データのファイルを記憶しているフォルダを特定するのみでなく、当該画像データのファイルそのものをも特定する情報である。
【００３８】
ストレージサーバＰＣ３の記憶装置においては、図４に示すように、画像データのファイルを保管するためのフォルダ「archive」が設けられている。そして、フォルダ「archive」の中には、フォルダ「fax Rx」、フォルダ「fax Tx」、フォルダ「mail Rx」、フォルダ「mail Tx」、フォルダ「copy」、フォルダ「scan」、及び、フォルダ「print」が設けられている。これらのフォルダはそれぞれ、ファクシミリ通信によって受信した画像データのファイルを保管するフォルダ、ファクシミリ通信によって送信した画像データのファイルを保管するフォルダ、インターネットファクシミリ通信によって受信した電子メールに添付された画像データのファイルを保管するフォルダ、インターネットファクシミリ通信によって送信した電子メールに添付した画像データのファイルを保管するフォルダ、原稿などの複写時に生成された画像データのファイルを保管するフォルダ、スキャンによって生成された画像データのファイルを保管するフォルダ、及び、クライアントＰＣ２などから送信された印刷データに基づいて生成されて印刷が行われた画像データのファイルを保管するフォルダである。また、これらのフォルダの中には、フォルダ「0001」やフォルダ「0002」などが適宜に作成される。１つのフォルダの中に保管可能なファイルの数には制限があるため、フォルダの中に保管しているファイルの数が上限に達すると、フォルダ「0002」、フォルダ「0003」などが適宜に作成される。
【００３９】
インターネットファクシミリ装置１は、ＳＭＢプロトコルによって、ストレージサーバＰＣ３の記憶装置に直接的にアクセスし、上記した各フォルダに画像データのファイルを記憶して保管することができる。しかし、画像データのファイルを電子メールに添付し、当該電子メールをストレージサーバＰＣ３に割り当てられたメールアドレス宛に送信することによって各フォルダに保管するようにすることもできる。この場合には、電子メールのヘッダーなどに保管するフォルダを特定するための情報を埋め込み、当該電子メールを受信したストレージサーバＰＣ３においてヘッダーなどに埋め込まれた情報に基づいて保管すべきフォルダを特定し、特定したフォルダに画像データのファイルを記憶して保管する。
【００４０】
また、インターネットファクシミリ装置１では、ファクシミリ通信機能、インターネットファクシミリ通信機能、複写機能、スキャン機能、印刷機能などで画像データを取り扱った際に、その取り扱いに関する情報と当該画像データのファイルを保管したストレージサーバＰＣ３におけるフォルダの場所及び当該画像データのファイルを特定する情報とを含む履歴情報を生成する。履歴情報は、例えば、図５に示すように、「ジョブＩＤ」、「種別」、「送信／受信」、「日時」、「通信相手」、「ページ」、「ユーザ」、「パス」などの項目を有するレコードである。図５において横方向に連なった８つの項目が１つのレコードを構成し、この１つのレコードが１つの通信履歴である。「ジョブＩＤ」は、ファクシミリ通信などの機能を使用して画像データを取り扱った処理（作業）のそれぞれを識別するための情報を記憶する項目である。項目「種別」は、ファクシミリ通信機能、インターネットファクシミリ通信機能など、画像データを取り扱った機能を識別するための情報を記憶する項目である。項目「送信／受信」は、ファクシミリ通信機能又はインターネットファクシミリ通信機能において取り扱った画像データが送信されたものであるか受信したものであるかを識別する情報を記憶する項目である。項目「日時」は、各機能によって画像データを取り扱った日付と時刻との情報を記憶する項目である。項目「通信相手」は、ファクシミリ通信機能又はインターネットファクシミリ通信機能で画像データを送受信した相手を識別する情報を記憶する項目である。項目「ページ」は、ファクシミリ通信機能、複写機能、スキャン機能、印刷機能などで取り扱った画像データのページ数を表す情報を記憶する項目である。項目「ユーザ」は、インターネットファクシミリ通信機能によって画像データを電子メールで送信した場合などに、当該機能の実行を指示したユーザを識別する情報を記憶する項目である。項目「パス」は、各機能で取り扱った画像データのファイルを保管しているストレージサーバＰＣ３の記憶装置におけるフォルダの場所及び当該画像データのファイルを特定する情報（保管場所特定情報）、いわゆる、パス（path）を記憶する項目である。このパスは画像データのファイルを保管しているフォルダ及びファイルを特定できるものであればよいが、相対パスであるよりも絶対パスであることが望ましい。
【００４１】
履歴情報（レコード）は、図５に示すように、複数個がまとめられて１つのファイルとしてＲＡＭ１０３に記憶され、ログ（log）として管理される。このログ（履歴情報）はインターネットファクシミリ装置１の報知部１０５が備える液晶表示装置に表示させて閲覧することが可能である。また、インターネットファクシミリ装置１は、ログ（履歴情報）をクライアントＰＣ２などから参照が可能となるようにネットワーク（例えば、ＬＡＮ４）に公開する。具体的には、インターネットファクシミリ装置１は、ログ（履歴情報）に基づいて、例えば、ＨＴＭＬ（HyperText Markup Language）で記述されたファイルを構成（生成）し、このＨＴＭＬファイルをＬＡＮ４に公開する。クライアントＰＣ２などは、ＨＴＴＰ（HyperText Transfer Protocol）により、このＨＴＭＬファイルを取得することによりログ（履歴情報）を参照することができる。さらに、このＨＴＭＬファイルは、クライアントＰＣ２などにおいて、履歴情報（レコード）に含まれるパスを選択することにより、当該パスによって特定される画像データのファイルがクライアントＰＣ２に取り込まれて当該画像が表示部２０６に表示され、また、当該パスによって特定される画像データのファイルを保管しているフォルダの内容がクライアントＰＣ２の表示部２０６に表示されるように構成される。このようなＨＴＭＬファイルもＲＡＭ１０３に記憶される。
【００４２】
次に、図６を用いて、インターネットファクシミリ装置１の各機能によって画像データを取り扱った場合に、インターネットファクシミリ装置１のＣＰＵ１０１が実行する処理の例を説明する。インターネットファクシミリ装置１のＣＰＵ１０１は、ＲＯＭ１０２に記憶されている制御プログラムに従って処理を実行する。なお、図６に示す各処理の順序は図示するものに限定されるものではなく、処理の順序を変更しても本発明を実現できる場合には適宜に変更してもよい。また、図６には示さないが、インターネットファクシミリ装置１において、ファクシミリ通信機能、インターネットファクシミリ通信機能、複写機能、スキャン機能、及び、印刷機能を実行したときには、実行した機能の種別、送受信の別、実行時の日時、通信相手などの画像データの取り扱いに関する情報がＲＡＭ１０３に記憶されるものとする。
【００４３】
インターネットファクシミリ装置１において、ファクシミリ（ＦＡＸ）通信機能、インターネットファクシミリ（Ｉ−ＦＡＸ）通信機能、複写機能、スキャン機能、及び、印刷機能のいずれかの機能によって画像データを取り扱うと、ＣＰＵ１０１は、ステップ１０１、ステップ１０２、ステップ１０３、ステップ１０４、及び、ステップ１０５において、いずれの機能により画像データを取り扱ったかを判断する。
【００４４】
ファクシミリ通信機能、複写機能、又は、印刷機能により画像データを取り扱ったと判断した場合（Ｓ１０１：ＹＥＳ／Ｓ１０２：ＹＥＳ／Ｓ１０３：ＹＥＳ）は、画像データのファイルを生成する（Ｓ１０６）。つまり、ファクシミリ通信機能、及び、複写機能によって取り扱った画像データは、ファイル形式ではないので、ストレージサーバＰＣ３において、他の機能によって取り扱われた画像データと同様にファイルとして保管・管理するために画像データをファイル形式に変換する。変換するファイル形式は、ＴＩＦＦ形式やＰＤＦ形式など、インターネットファクシミリ装置１やクライアントＰＣ２などで参照できる形式であればどのような形式でもよい。また、印刷機能により取り扱った画像データはファイル形式ではあるが、インターネットファクシミリ装置１やクライアントＰＣ２などでそのまま参照できるファイル形式ではないので、ＴＩＦＦ形式やＰＤＦ形式などのファイルに変換する。スキャン機能、又は、インターネットファクシミリ通信機能により画像データを取り扱ったと判断した場合（Ｓ１０４：ＹＥＳ／Ｓ１０５：ＹＥＳ）は、これらの機能で取り扱われる画像データは既にファイル形式であるのでステップ１０６をスキップする。なお、通常の電子メール通信機能により画像データを取り扱った場合については説明しないが、インターネットファクシミリ通信機能の場合と同様の処理を行えばよい。
【００４５】
そして、画像データを取り扱った機能に基づいて、また、画像データを取り扱ったのが通信機能である場合にはさらに送信であるか受信であるかに基づいて、画像データのファイルの保管先のフォルダ、つまり、ストレージサーバＰＣ３におけるフォルダ（図４参照。）のパスを決定する（Ｓ１０７）。保管先のパスが決定すると、ステップ１０６において生成された画像データのファイル、又は、スキャン機能、インターネットファクシミリ通信機能、及び、印刷機能で取り扱った画像データのファイルを、ストレージサーバＰＣ３の決定されたフォルダに書き込む（Ｓ１０８）。なお、ストレージサーバＰＣ３がＬＡＮ４に接続されているか否か（起動しているか否かを含む。）を検知し、接続されていない場合には、定期的に接続を確認し、接続が確認できたときにフォルダの決定及び書込みを行うようにするとよい。
【００４６】
次に、ＲＡＭ１０３に記憶されている、実行した機能の種別、送受信の別、実行時の日時、通信相手などの画像データの取り扱いに関する情報、及び、ステップ１０７（Ｓ１０７）で決定したフォルダのパスに基づいて、図５に示したような履歴情報（レコード）を生成し（Ｓ１０９）、生成した履歴情報（レコード）をログに追加してログを更新する（Ｓ１１０）。このとき、上述した、ログに基づいて構成されるＨＴＭＬファイルも更新するようにしてもよい。
【００４７】
このようにして、インターネットファクシミリ装置１の各機能を実行することによって取り扱われた画像データのファイルがストレージサーバＰＣ３の所定のフォルダに保管され、また、各機能による画像データの取り扱いに関する情報と画像データのファイルを保存しているフォルダ及び当該ファイルを特定するパスとを含む履歴情報が生成され、この履歴情報によりログが更新される。
【００４８】
次に、図７乃至図１１を用いて、インターネットファクシミリ装置１に対して履歴情報（ログ）を表示させる操作が行われた場合に、インターネットファクシミリ装置１のＣＰＵ１０１が実行する処理の例を説明する。インターネットファクシミリ装置１のＣＰＵ１０１は、ＲＯＭ１０２に記憶されている制御プログラムに従って処理を実行する。なお、図７に示す各処理の順序は図示するものに限定されるものではなく、処理の順序を変更しても本発明を実現できる場合には適宜に変更してもよい。また、インターネットファクシミリ装置１には、予め認証用のパスワードが登録されているものとする。
【００４９】
ユーザは、インターネットファクシミリ装置１の操作部１０４が備える各キーへの操作、及び、報知部１０５が備える液晶表示装置のパネルへのタッチにより、履歴情報（ログ）を表示させる操作を行う。
【００５０】
インターネットファクシミリ装置１のＣＰＵ１０１は、履歴情報（ログ）を表示させる指示が行われたか否かを判断する（Ｓ２０１）。履歴情報を表示させる指示が行われていないと判断すると（Ｓ２０１：ＮＯ）、表示させる指示が行われるまで待機する。一方、履歴情報を表示させる指示が行われたと判断すると（Ｓ２０１：ＹＥＳ）、報知部１０５が備える液晶表示装置に、ユーザに対してパスワードの入力を促す画面を表示し、パスワードの入力を受け付ける（Ｓ２０２）。そして、入力されたパスワードと予め登録されているパスワードとを比較照合して両パスワードが一致するか否か、つまり、ユーザを認証するか否かを判断する（Ｓ２０３）。両パスワードが一致しないと判断すると（Ｓ２０３：ＮＯ）、エラー処理を行う（Ｓ２０４）。具体的には、報知部１０５が備える液晶表示装置に、パスワードが一致せず履歴情報の表示が許可されない旨を知らせるエラーメッセージを表示し、ＬＥＤランプを点滅させ、さらに、スピーカから所定の警告音を鳴動させる。なお、このエラー処理において、パスワードの再入力を受け付けるようにしてもよい。一方、両パスワードが一致すると判断すると（Ｓ２０３：ＹＥＳ）、図８に示すような画面を報知部１０５が備える液晶表示装置に表示し、表示させる履歴情報の日付の入力を受け付ける（Ｓ２０５）。ここで、“履歴情報の日付”とは、履歴情報のレコードの項目「日時」が示す日時に含まれる日付である。当該日付を項目「日時」に含む履歴情報が表示の対象となる。
【００５１】
図８に示すように、液晶表示装置には、表示させる履歴情報の日時の入力をユーザに対して促すメッセージＭ１が表示される。また、液晶表示装置にはテンキー部分Ｔ１が表示される。ユーザがこのテンキー部分Ｔ１の各数字部分にタッチすると、年の入力を表示する空欄部分Ｂ１、月の入力を表示する空欄部分Ｂ２、及び、日の入力を表示する空欄部分Ｂ３に順次数字が表示され、日付が入力される（図８では、日付が入力された状態を示している。）。日付の確定前に削除キー部分Ｋ１にタッチすると、空欄部分Ｂ３、空欄部分Ｂ２、空欄部分Ｂ１の順に後から入力された数字が１つずつ削除される。そして、決定キー部分Ｋ２にタッチすると入力された日付が確定される。なお、キャンセルキー部分Ｋ３にタッチすることにより、履歴情報を表示する一連の処理をキャンセルすることができる。
【００５２】
このような手順により履歴情報の日付が入力されると、ＣＰＵ１０１は、入力された日付を検索条件として、ログのファイル内の履歴情報を検索し、履歴情報の項目「日時」に、入力された日付と同一の日付を含むレコードを抽出する。そして、抽出した履歴情報を図９に示すように報知部１０５の液晶表示装置に表示する（Ｓ２０６）。液晶表示装置の表示スペースにより表示する項目数が制限される場合には、履歴情報から抜粋した項目のみを表示する。図９の例では、履歴情報に含まれる項目のうち、項目「ジョブＩＤ」、項目「種別」、項目「日時」、項目「通信相手」のみが表示されている。図９の例では、３つの履歴情報が表示されているが、入力された日付に該当する履歴情報が複数存在し、液晶表示装置に表示しきれない場合は、上方移動キー部分Ｋ４及び下方移動キー部分Ｋ５にタッチすることにより、表示外の履歴情報を表示することができる。このように、指定した日付に該当する履歴情報を表示することにより、履歴情報（レコード）の数が膨大である場合でも、迅速に所望の履歴情報に辿り着くことができる。
【００５３】
図９に示したように、液晶表示装置には、ユーザに内容の詳細を表示する履歴情報の選択を促すメッセージＭ２も表示される。ユーザが液晶表示装置にタッチすることにより、詳細の表示を希望する履歴情報を選択すると、該当する履歴情報が反転表示されて、選択されたことを示す。そして、履歴情報を選択した状態で、詳細表示キー部分Ｋ６にタッチすると履歴情報の選択が確定し、ＣＰＵ１０１がこの選択を受け付ける（Ｓ２０７）。なお、キャンセルキー部分Ｋ７にタッチすることにより、履歴情報を表示する一連の処理をキャンセルすることができる。
【００５４】
履歴情報の選択を受け付けると、ＣＰＵ１０１は、図１０に示すような、履歴情報の詳細を示す画面を液晶表示装置に表示する。このとき、液晶表示装置には、履歴情報に含まれるすべての項目の内容を表示する。また、液晶表示装置には、表示キー部分Ｋ８、印刷キー部分Ｋ９、及び、キャンセルキー部分Ｋ１０が表示される。ユーザがキャンセルキー部分Ｋ１０にタッチすると、ＣＰＵ１０１はキャンセルが指示されたと判断し（Ｓ２１１：ＹＥＳ）、処理を終了する。印刷キー部分Ｋ９にタッチすると、ＣＰＵ１０１は印刷が指示されたと判断し（Ｓ２１０：ＹＥＳ）、詳細が液晶表示装置に表示されている履歴情報に対応する画像データのファイルをストレージサーバＰＣ３から取得する（Ｓ２１５）。このとき、当該履歴情報の項目「パス」に記憶されているパスに基づいて、ＳＭＢプロトコルに従ってストレージサーバＰＣ３の記憶装置における目的のフォルダにアクセスし、目的の画像データのファイルを取得する。そして、取得したファイル、つまり、画像データに応じた画像を印刷する（Ｓ２１６）。
【００５５】
一方、ユーザが表示キー部分Ｋ８にタッチすると、ＣＰＵ１０１は当該履歴情報に対応する画像データのファイルが存在する場所のツリー構造（木構造）の表示が指示されたと判断し（Ｓ２０９：ＹＥＳ）、当該履歴情報の項目「パス」に記憶されているパスに基づいて、図１１に示すような、ストレージサーバＰＣ３の記憶装置におけるフォルダのツリー構造と、当該履歴情報に対応する画像データのファイルを記憶しているフォルダの記憶内容、つまり、どのようなファイルを記憶しているかと、を示す画面を液晶表示装置に表示する（Ｓ２１２）。このとき、該当ファイルは、例えば、反転表示によって示される。この画面には、印刷キー部分Ｋ１１とキャンセルキー部分Ｋ１２とがあわせて表示される。キャンセルキー部分Ｋ１２にタッチすると、ＣＰＵ１０１はキャンセルが指示されたと判断し（Ｓ２１４：ＹＥＳ）、処理を終了する。一方、印刷キー部分Ｋ１１にタッチすると、ＣＰＵ１０１は印刷が指示されたと判断し（Ｓ２１３：ＹＥＳ）、図１１の画面において、反転表示されている画像データのファイルをストレージサーバＰＣ３から取得する（Ｓ２１５）。このとき、当該履歴情報の項目「パス」に記憶されているパスに基づいて画像データのファイルの存在場所を特定し、ＳＭＢプロトコルに従ってストレージサーバＰＣ３の記憶装置における目的のフォルダにアクセスし、目的の画像データのファイルを取得する。そして、取得したファイル、つまり、画像データを印刷する（Ｓ２１６）。
【００５６】
このように、インターネットファクシミリ装置１に対して簡単な所定の操作を行うことによって、必要な画像データの履歴情報を取得し、履歴情報の項目「パス」に記憶されているパスを利用することにより、ユーザがストレージサーバＰＣ３のフォルダ内を自分で検索することなどなく、直ちに目的の画像データのファイルを取得し、印刷することができる。なお、液晶表示装置の表示スペースによる制限を受けはするが、履歴情報の項目「パス」に記憶されているパスによって特定した画像データのファイルを取得し、例えば、印刷を行う前などに液晶表示装置に画像を表示して確認するようにしてもよい。
【００５７】
次に、図１２乃至図１５を用いて、クライアントＰＣ２からインターネットファクシミリ装置１にアクセスして、履歴情報（ログ）を表示させる場合に、クライアントＰＣ２のＣＰＵ２０１、及び、インターネットファクシミリ装置１のＣＰＵ１０１が実行する処理の例を説明する。クライアントＰＣ２のＣＰＵ２０１は、ＨＤＤ２０４に記憶されている制御プログラムに従って処理を実行し、インターネットファクシミリ装置１のＣＰＵ１０１は、ＲＯＭ１０２に記憶されている制御プログラムに従って処理を実行する。なお、図１２及び図１３に示す各処理の順序は図示するものに限定されるものではなく、処理の順序を変更しても本発明を実現できる場合には適宜に変更してもよい。また、インターネットファクシミリ装置１には、予め認証用のパスワードが登録されているものとする。
【００５８】
ユーザがクライアントＰＣ２の操作部２０５を介して、インターネットファクシミリ装置１にアクセスして履歴情報（ログ）を参照する操作を行うと、ＣＰＵ２０１は、この操作に応じて、インターネットファクシミリ装置１にアクセスするためのブラウザ（browser）を起動し（Ｓ３０１）、ＨＴＴＰにより、履歴情報（ログ）にアクセスするアクセス要求をインターネットファクシミリ装置１に送信する（Ｓ３０２）。
【００５９】
インターネットファクシミリ装置１では、クライアントＰＣ２からの履歴情報（ログ）へのアクセス要求を受信すると（Ｓ４０１）、ユーザに履歴情報へのアクセスの認証を行うパスワードを入力させるための画面情報（ＨＴＭＬで記述されたファイル）をＨＴＴＰでクライアントＰＣ２に送信する（Ｓ４０２）。
【００６０】
クライアントＰＣ２では、パスワードの入力画面情報を受信して、当該情報に基づいた入力画面をブラウザで表示部２０６に表示する（Ｓ３０３）。ユーザがブラウザによって表示部２０６に表示された入力画面に基づいて、操作部２０５を介してパスワードの入力操作を行うと、ＣＰＵ２０１は、入力されたパスワードを受け付ける（Ｓ３０４）。そして、受け付けたパスワードをインターネットファクシミリ装置１に送信する（Ｓ３０５）。
【００６１】
インターネットファクシミリ装置１では、クライアントＰＣ２からのパスワードを受信し（Ｓ４０３）、受信したパスワードと予め登録されているパスワードとを比較照合し（Ｓ４０４）、両パスワードが一致するか否かを判断する（Ｓ４０５）。両パスワードが一致しないと判断すると（Ｓ４０５：ＮＯ）、エラー処理を実行する（Ｓ４０６）。具体的には、パスワードが一致せず履歴情報の表示が許可されない旨を知らせるエラーメッセージを含む画面情報をクライアントＰＣ２に送信する。このとき、エラーセージを表示するとともに、パスワードの再入力を促すようにしてもよい。一方、両パスワードが一致すると判断すると（Ｓ４０５）、クライアントＰＣ２においてブラウザで履歴情報を表示し、当該表示に基づいて履歴情報の検索や履歴情報に基づく画像データのファイルの取得ができるようにＨＴＭＬによって記述された履歴情報一覧情報をクライアントＰＣ２に送信する（Ｓ４０７）。この履歴情報一覧情報は、ログ（履歴情報）に基づいて構成されたものである。
【００６２】
クライアントＰＣ２では、履歴情報一覧情報を受信し、当該履歴情報一覧情報に基づいて、図１４に示すような履歴情報の一覧を表示する画面をブラウザによって表示する（Ｓ３０６）。図１４に示すように、この画面の表示枠Ｆ１に履歴情報が表示される。この表示枠Ｆ１には、履歴情報のすべての項目が表示される。表示枠Ｆ１に表示しきれない履歴情報については、表示枠Ｆ１の右端に設けられたスクロールバーＳ１をマウスのポインタで上下方向に操作することによってスクロール表示することが可能である。そして、所望する画像データのファイルに対応する履歴情報の項目「パス」に表示されたパスをマウスのポインタでクリックすると、ＣＰＵ２０１はパスが選択されたと判断する（Ｓ３０７：ＹＥＳ）。そして、選択されたパスに基づいて画像データのファイルの存在場所（フォルダ）を特定し、当該画像データのファイルをストレージサーバＰＣ３から取得する（Ｓ３０８）。このとき、クライアントＰＣ２とストレージサーバＰＣ３とは、例えば、ＦＴＰ（File Transfer Protocol）による通信を行って画像データのファイルの送受信を行う。
【００６３】
画像データのファイルを取得すると、当該ファイルの画像をブラウザによって、又は、当該ファイルに対応したアプリケーションソフトウェアによって表示部２０６に表示する（Ｓ３０９）。そして、ユーザが操作部２０５を介して、ブラウザ、又は、アプリケーションソフトウェアに対して当該画像を印刷する指示を行うと、ＣＰＵ２０１は、印刷の指示が行われたと判断し、当該画像の印刷処理を行う（Ｓ３１１）。このとき、プリンタドライバによって当該画像データに基づいて印刷データが生成され、生成された印刷データが、例えば、インターネットファクシミリ装置１に送信されて印刷が行われる。
【００６４】
図１４に示したように、履歴情報の一覧を表示する画面には、履歴情報を検索する際の検索条件を入力する入力欄Ｃが存在する。この入力欄Ｃに検索条件を入力することにより検索条件に該当する履歴情報を検索することができる。したがって、履歴情報の数が膨大である場合でも、所望の履歴情報に迅速に辿り着くことができる。入力欄ＣのプルダウンメニューボタンＰ１をマウスのポインタでクリックすると、項目「種別」の検索条件として選択可能な種別の一覧が表示され、この一覧から種別を選択することができる。また、プルダウンメニューボタンＰ２を選択すると、“送信”、“受信”、及び、空白がメニューに表示され、これらのいずれかを選択することができる。そして、空欄Ｂ４、空欄Ｂ５、及び、空欄Ｂ６にはそれぞれ、マウス及びキーボードを使用して、項目「日付」、項目「通信相手」、及び、項目「ユーザ」の検索条件を入力することができる。図１４の例では、項目「種別」の条件として“Copy”が選択され、項目「日付」の条件として“2006/6/15”が入力されている。キャンセルボタンＢＴ２をマウスでクリックなどすると、ＣＰＵ２０１は、キャンセルが指示されたと判断し（Ｓ３１７：ＹＥＳ）、処理を終了する。検索条件を指定した状態で、検索ボタンＢＴ１をマウスでクリックなどすると、ＣＰＵ２０１は、履歴情報の検索が指示されたと判断し（Ｓ３１２：ＹＥＳ）、検索条件に基づいて検索処理を実行し、履歴情報一覧情報に含まれる履歴情報から検索条件に該当する履歴情報を抽出する（Ｓ３１３）。そして、抽出した履歴情報に基づいて、図１５に示すような検索結果画面をブラウザで表示部２０６に表示する（Ｓ３１４）。この検索結果画面には、表示枠Ｆ２が設けられ、この表示枠Ｆ２内に、検索された履歴情報が表示される。図１５の例では、検索条件に該当する履歴情報が１件のみ存在する場合を示したが、複数の履歴情報が存在する場合には、複数の履歴情報が表示される。表示された履歴情報のうち、目的の画像データのファイルに対応する履歴情報の項目「パス」に表示されたパスをユーザがマウスのポインタでクリックすると、ＣＰＵ２０１はパスが選択されたと判断する（Ｓ３１５：ＹＥＳ）。すると、先に説明したステップ３０８（Ｓ３０８）〜ステップ３１１（Ｓ３１１）の処理が実行され、選択されたパスに基づいてストレージサーバＰＣ３から画像データのファイルが取得され、取得されたファイルの画像が印刷される。
【００６５】
このように、クライアントＰＣ２から履歴情報を参照し、履歴情報の項目「パス」に記憶されているパスを利用することにより、ユーザがストレージサーバＰＣ３のフォルダ内を自分で検索することなどなく、直ちに目的の画像データのファイルを取得し、印刷することができる。なお、図１４及び図１５に示した表示画面の元となる画面情報（ＨＴＭＬファイル）は、履歴情報の項目「パス」をマウスでクリックしてパスを選択すると、当該パスによって特定される画像データのファイルをクライアントＰＣ２において取得するように構成することとしたが、これに替えて、又はこれとともに、パスを選択すると当該パスによって特定される画像データのファイルが記憶されているフォルダの内容を、つまり、当該フォルダに記憶されているすべての画像データのファイルを、クライアントＰＣ２においてブラウザやエクスプローラなどで参照することができるように構成するようにしてもよい。
【００６６】
以上に説明したように、本発明に係るインターネットファクシミリ装置１によれば、ファクシミリ通信機能、インターネットファクシミリ通信機能、複写（コピー）機能、スキャン機能、印刷（プリント）機などにより画像データを取り扱うと、当該画像データのファイルをストレージサーバＰＣ３の所定のフォルダに保管する。そして、当該画像データの取り扱いに関する情報と、当該画像データを保管しているフォルダの場所及び当該画像データのファイルを特定するパスとを含む履歴情報を生成し、生成した履歴情報をログとして記憶する。
【００６７】
このログはインターネットファクシミリ装置１において参照することが可能である。そして、インターネットファクシミリ装置１に対して所定の操作を行ってログに含まれる複数の履歴情報の中から目的の画像データに対応する履歴情報を選択することにより、当該履歴情報に含まれるパスに基づいて目的の画像データのファイルをストレージサーバＰＣ３から取得して画像を液晶表示装置に表示し、印刷をすることができる。
【００６８】
また、前記ログはＬＡＮ４を介してインターネットファクシミリ装置１にアクセスすることによりクライアントＰＣ２から参照することが可能である。そして、クライアントＰＣ２において所定の操作を行うことにより、履歴情報に含まれるパスに基づいて目的の画像データのファイルをストレージサーバＰＣ３から取得して画像を表示部２０６に表示し、印刷をすることができる。
【００６９】
このように、本発明のインターネットファクシミリ装置によれば、履歴情報に含まれるパスに基づいて画像データのファイルが記憶されている場所を直ちに特定できるので、ユーザは、ストレージサーバＰＣ３の記憶装置のフォルダ及びサブフォルダを１つ１つ参照して探し出すという手間や時間をかけることなく、簡便に画像データのファイルを取得することができる。
【００７０】
なお、本発明の実施形態は上述の形態に限らず、種々に変更してもよい。例えば、上述の実施形態では、図５に示したように、ログは１種類であり、履歴情報は項目「パス」を含む１つのレコードとしたが、これに替えて、図１６の（ａ）及び（ｂ）に示すようにログを２種類用意し、一方のログ（図１６の（ａ））に、画像データの取り扱いに関する情報の項目を記憶した第１履歴情報（レコード）を含むようにし、他方のログ（図１６の（ｂ））に、項目「パス」を記憶した第２履歴情報（レコード）を含むようにしてもよい。このとき、同一の画像データのファイルに関する第１履歴情報（レコード）と第２履歴情報（レコード）とを、ジョブＩＤによって対応付けるようにするとよい。
また、履歴情報は、従来より存在する画像形成装置においても通常に生成していた履歴情報に項目「パス」を追加したものであってもよいし、従来より生成されていた履歴情報とは別個に項目「パス」を含む履歴情報を生成するようにしてもよい。この場合は、２種類の履歴情報が存在することとなる。
さらに、上述の実施形態では、パスに基づいて画像データのファイルを取得した後に、当該画像データに対応する画像を表示し、印刷することとしたが、これに加え、当該画像に含まれる文字を認識し、当該文字をテキストファイルに出力して保存するようにしてもよい。
【産業上の利用可能性】
【００７１】
本発明は、例えば、自装置で取り扱った画像データをネットワークによって自装置と接続された外部装置に保管する装置に適用可能である。
【図面の簡単な説明】
【００７２】
【図１】本発明に係る画像形成装置の一例としてのインターネットファクシミリ装置１が接続されるネットワークの構成を示すブロック図である。
【図２】インターネットファクシミリ装置１の構成例を示すブロック図である。
【図３】クライアントＰＣ２、及び、ストレージサーバＰＣ３の構成例を示すブロック図である。
【図４】ストレージサーバＰＣ３において画像データのファイルを記憶するフォルダのツリー構造を示す説明図である。
【図５】履歴情報（レコード）、及び、履歴情報を含むログファイルの構成例を示す説明図である。
【図６】インターネットファクシミリ装置１の各機能によって画像データを取り扱った場合に、インターネットファクシミリ装置１のＣＰＵ１０１が実行する処理の例を説明するフローチャートである。
【図７】インターネットファクシミリ装置１に対して履歴情報（ログ）を表示させる操作が行われた場合に、インターネットファクシミリ装置１のＣＰＵ１０１が実行する処理の例を説明するフローチャートである。
【図８】インターネットファクシミリ装置１において表示する履歴情報の日付を入力するための表示画面の例を示す説明図である。
【図９】日付が一致する履歴情報の表示画面の例を示す説明図である。
【図１０】履歴情報の詳細の表示画面の例を示す説明図である。
【図１１】所望の画像データのファイルの存在場所をツリー構造で示す表示画面の例を示す説明図である。
【図１２】クライアントＰＣ２からインターネットファクシミリ装置１にアクセスして、履歴情報（ログ）を表示させる操作を行う場合に、クライアントＰＣ２のＣＰＵ２０１が実行する処理の例を説明するフローチャートである。
【図１３】クライアントＰＣ２からインターネットファクシミリ装置１にアクセスして、履歴情報（ログ）を表示させる操作を行う場合に、インターネットファクシミリ装置１のＣＰＵ１０１が実行する処理の例を説明するフローチャートである。
【図１４】クライアントＰＣ２における履歴情報の表示画面の例を示す説明図である。
【図１５】クライアントＰＣ２における履歴情報の検索結果の表示画面の例を示す説明図である。
【図１６】履歴情報（レコード）、及び、履歴情報を含むログファイルのその他の構成例を示す説明図である。
【符号の説明】
【００７３】
１    インターネットファクシミリ装置（画像形成装置）
１０１  ＣＰＵ
１０２  ＲＯＭ
１０３  ＲＡＭ
１０４  操作部
１０５  報知部
【図１】
2008017147.tif 000003
【図２】
2008017147.tif 000004
【図３】
2008017147.tif 000005
【図４】
2008017147.tif 000006
【図５】
2008017147.tif 000007
【図６】
2008017147.tif 000008
【図７】
2008017147.tif 000009
【図８】
2008017147.tif 000010
【図９】
2008017147.tif 000011
【図１０】
2008017147.tif 000012
【図１１】
2008017147.tif 000013
【図１２】
2008017147.tif 000014
【図１３】
2008017147.tif 000015
【図１４】
2008017147.tif 000016
【図１５】
2008017147.tif 000017
【図１６】
2008017147.tif 000018